(57)【要約】      （修正有）【課題】複数種類の、口径や形状が異なる同軸型電気的端子同士の接続を安易に行うことができるコネクタを提供する。【解決手段】口径が異なる同軸型コネクタへの接続に関わる外側の構造物として、接点となる金属などの通電可能なネジを組み込むためのネジ穴が開けられた金属などの導電性パイプを使用し、ネジを使用した接続先コネクタの締め付けもしくは張り出しを行う。【選択図】図１
0003161033.tif 000002
【実用新案登録請求の範囲】
【請求項１】
１点もしくはそれ以上の点での導電性ネジを使用した締め付けによって、物理的接点の強度を確保すると共に、電気的接点の安定性を確保することで、口径の異なる同軸型コネクタを柔軟かつ確実に接続するためのコネクタ。
【請求項２】
締め付けナットなどを使用した線あるいは面での締め付けによって、物理的接点の強度を確保したうえで、電気的接点の安定性を確保することで、口径の異なる同軸型コネクタを柔軟かつ確実に接続するためのコネクタ。
【請求項３】
上記のいずれかに併せて、中央部分の電気的接点に適切な形状の金属やバネを併用し、電気的接点の確実性ならびに安定性を確保するための技術的考案。
【考案の詳細な説明】
【技術分野】
【０００１】  この考案は、電気的端子の接続に関する。
【背景技術】
【０００２】  従来の同軸型コネクタ形状は、オス／メスの口径を一致させることや、同一口径のネジなどを使用することで、電気的接続ならびに物理的接続を確保していたものである。
【考案の概要】
【考案が解決しようとする課題】
【０００３】  しかしながら、接続しようとする双方のコネクタ（オス／メス）の口径が一致しない場合、電気的ならびに物理的に安定した接続を確保することが困難となる。
そこでこの考案は、接続する互いのコネクタの口径が一致しない場合でも、安定した電気的接続ならびに物理的接続を確保することを課題とする。
【課題を解決するための手段】
【０００４】  以上の課題を解決するために、本考案は外縁部の支持に電気的伝導性を有する金属の部品を使用して、接続先コネクタを１点以上の点もしくは面で支持することを特徴とするコネクタである。
【考案の効果】
【０００５】  本考案によれば、１点以上の点もしくは面での締め付けを行って接続先コネクタを物理的に支持することで、通常の口径の一致などによる端子の物理的接続と同等、もしくはより強固な物理的接続を確保することができる場合がある。
また支持する点もしくは面の調整により、接続先コネクタとの中央端子との位置決めが可能となり、電気的接点の安定性を併せて確保することが可能となる。
中央端子同士の接続については、端子自体の形状を工夫するか、バネなどを併用した柔軟性のある端子を用いることで、電気的接点の安定性が確保できる。
【図面の簡単な説明】
【図１】この考案の一実施形態を示す図面である。（１点ならびに３点支持コネクタの概念図）
【図２】この考案の一実施形態を示す図面である。（コネクタの構成概念図）
【図３】この考案の一実施形態を示す図面である。（中央端子部分の実装概念図）
【図４】この考案の一実施形態を示す図面である。（面支持コネクタの概念図）
【考案を実施するための形態】
【０００６】  この考案の一実施形態を、図１ならびに図２、図３、図４に示す。
コネクタ本体は銅やアルミなどの電気伝導性を持つパイプ状の金属であり、この金属パイプを貫通して、適切な角度でネジ穴が切られている。
例：３点支持の場合は１２０度間隔。接続先コネクタを支持する点の数に応じて、角度を調整してネジ穴を作成。
この穴に電気的導電性を持つ金属製のネジを通して、内部／接続先が小口径もしくは外部／接続先が大口径の接続先コネクタに接することで、物理的支持を確保する。
注：電気的伝導性の確保のため、最低１点は金属性のネジを使用すること。接続先コネクタの口径がほぼ一致する場合は、１点での支持でも同等の効果を有する場合がある。
面支持の場合、コネクタ本体は銅やアルミなどの電気伝導性を持つパイプ状の金属であり、この金属パイプ自体の口径を調整するため、金属パイプの外部にナット状の調整器を被せて締め付けるための切れ込みとネジ加工がされている。
【０００７】  中央部の接点は金属製の適切な形状の端子を使用するか、バネなどを適宜組み合わせて使用する。これにより外側接点の物理的支持の強度にと併せて、必要な電気的接続を確保することができる。
【実施例】
【０００８】  一例として、様々な口径（８ｍｍ〜１２ｍｍ程度）がある、電子タバコの給電装置（ＭＯＤ）とアトマイザ（加熱噴霧器）との接続部分に使用することで、複数の異なる口径のアトマイザを、１台の給電装置で使用することが可能となる。
また通常は接続が不可能な、オス−オス、メス−メス同士のコネクタを接続するための器具としても使用が可能と思われる。【０００９】  図１の実施形態では、内部／接続先が小口径の場合であるが、接続先が大口径の場合は、ネジを内側から外側に向けて取り付けることで、同様の接続が可能となる。
この場合は他の留意点として、内側で中央接点や他のネジに干渉しない大きさ、長さのネジを使用する必要がある。
またこの構造を両端に備えたジョイントコネクタを作成することで、より柔軟に口径や形状の異なる端子同士の電気的接続ならびに物理的接続を確保することが可能となる。
【符号の説明】
【００１０】１．金属パイプ（コネクタ本体、外部接点）
２．支持用金属ネジ
３．被支持コネクタ（一般的な同軸型コネクタを想定）
４．中央接点（金属製）
５．絶縁体による電気的絶縁（ゴム、プラスチックなどを適宜使用）
６．バネなどの接点調整装置
７．直径調整用切れ込み
８．直径調整用ネジ切り（接続先コネクタがより大口径の場合は、パイプ内側にネジ切りを行う）
９．直径調整用ナット（接続先コネクタがより大口径の場合は、ナット外側にネジ切りを行う）
【図１】
0003161033.tif 000003
【図２】
0003161033.tif 000004
【図３】
0003161033.tif 000005
【図４】
0003161033.tif 000006
【手続補正書】
【提出日】平成22年1月13日(2010.1.13)
【手続補正１】
【補正対象書類名】実用新案登録請求の範囲
【補正対象項目名】全文
【補正方法】変更
【補正の内容】
【実用新案登録請求の範囲】
【請求項１】
口径が異なる同軸型コネクタへの接続に関わる外側の構造物として、金属などの導電性パイプを使用し、この構造物と噛み合うように加工された金属などの導電性ネジを使用し、接続先コネクタの締め付けもしくは張り出しを行うことによって、物理的接点の強度を確保すると共に電気的接点の安定性を確保し、口径の異なる同軸型コネクタを柔軟かつ確実に接続するためのコネクタ。
【請求項２】
口径が異なる同軸型コネクタへの接続に関わる外側の構造物自体に、切り込みならびにネジ切りなどの加工を行い、構造物自体の変形による締め付けが可能な形状とし、ナットなどを併用した外側の構造物自身による締め付けを可能とすることで、口径の異なる同軸型コネクタを柔軟かつ確実に接続するためのコネクタ。原理としては請求項１と同等の機能を有する。
【請求項３】
請求項１または２の外側の構造物に併せて、中央部分の接続端子として適切な形状の金属やバネを使用した構造物を使用することで、同軸型コネクタの中央接点の確実性ならびに安定性を確保するためのコネクタ中央端子。
【手続補正書】
【提出日】平成22年4月22日(2010.4.22)
【手続補正１】
【補正対象書類名】実用新案登録請求の範囲
【補正対象項目名】全文
【補正方法】変更
【補正の内容】
【実用新案登録請求の範囲】
【請求項１】
口径が異なる同軸型コネクタへの接続に関わる外側の構造物として、接点となる金属などの通電可能なネジを組み込むためのネジ穴が開けられた金属などの導電性パイプを使用し、ネジを使用した接続先コネクタの締め付けもしくは張り出しを行うことによって、物理的接点の強度を確保すると共に電気的接点の安定性を確保し、口径の異なる同軸型コネクタを柔軟かつ確実に接続するためのコネクタ。
【請求項２】
口径が異なる同軸型コネクタへの接続に関わる外側の構造物自体に、切り込みならびにネジ切りなどの加工を行い、構造物自体の変形による締め付けが可能な形状とし、ナットやワイヤーなどの締め付け部品を併用した外側の構造物自身による締め付けを可能とすることで、口径の異なる同軸型コネクタを柔軟かつ確実に接続するためのコネクタ。
【請求項３】
同軸型コネクタの外側に請求項１または２の外側の構造物を使用した場合中央部分の接続端子として、適切な形状の通電可能な金属もしくはバネ、並びに外側の構造物との絶縁を保つための絶縁体を使用した構造物を使用することで、同軸型コネクタの中央接点の確実性ならびに安定性を確保するためのコネクタ中央端子。